(57)【要約】 【課題】  ＡＤＳＬ回線を使用した、常時通信状態にて、モデムの機能停止に対して、人手を介さず、遠隔にてモデムを再起動できるリブート機能内蔵型スプリッタを得る。  【解決手段】  ローパスフイルタ部２とノーリンギング通信端末１００と電源リレー３４とで構成されたリブート機能内蔵スプリッタ１であって、前記ノーリンギング通信端末１００は、リンガー検出および極性反転検出回路３２と回線リレー３１と信号用トランスＴとＤＴＭＦ送受信回路３３と記憶演算装置３とで構成され、無鳴動着信機能を有しており、極性反転およびリンガー検出回路３２が極性反転を検出し、リンガー信号を検出しない場合は無鳴動着信と判断し、回線リレー３１の設定をＯＮとし、前記ＤＴＭＦ送受信回路３３を介して記憶演算装置３はセンターモデムからの信号を受信し、リブート指令を受信した場合は前記電源リレー３４の接点をＯＮ状態から、ＯＦＦ状態、ＯＮ状態とする。【選択図】  図１
2005318348.tif 000002
【特許請求の範囲】
【請求項１】
ＡＤＳＬ通信回線でのＡＤＳＬモデムの電源のリブートを行うリブート機能内蔵型スプリッタであって、前記リブート機能内蔵型スプリッタは、ローパスフイルタ部と、ノーリンギング通信端末と、電源リレーとで構成され、前記ノーリンギング通信端末は、ローパスフイルタ部の出力側から分岐したリンガー検出回路および極性反転検出回路と、同じくローパスフイルタ部の出力側から分岐した回線リレーと、信号用トランスと、ＤＴＭＦ送受信回路と、前記ＤＴＭＦ送受信回路と接続された記憶演算装置とで構成されており、前記リブート機能内蔵型スプリッタの外側には、ＡＤＳＬモデムへの電源供給手段が配置されており、また、前記ローパスフイルタ部の入力側から、回線が分岐され、直流カットコンデンサを介したＡＤＳＬモデムへの接続手段を有し、また、ローパスフイルタ部の出力側に電話への接続部を有し、前記ノーリンギング通信端末は、前記極性反転検出回路およびリンガー検出回路が、極性反転を検出し、かつ、一般通信であることを示すリンガー信号を検出しない場合は無鳴動着信と判断する無鳴動着信機能を有し、回線リレーの設定をＯＮとし、前記ＤＴＭＦ送受信回路を介して記憶演算装置は、センターモデムからの信号を受信し、リブート指令を受信した場合は、前記電源リレーの接点を、ＯＮ状態から、ＯＦＦ状態に切り替え、所定時間後、ＯＮ状態とし、ＡＤＳＬモデムの電源を、ＯＮ、ＯＦＦ、ＯＮとして、前記ＡＤＳＬモデムをリブートすることを特徴とするリブート機能内蔵型スプリッタ。        
【発明の詳細な説明】
【技術分野】
【０００１】
本発明は、主としてＡＤＳＬ（Asymmetric  Digital  Subscriber  Line）通信回線でのＡＤＳＬモデムの再起動に関して好適な、リブート機能内蔵型スプリッタに関する。
【背景技術】
【０００２】
図４は、従来のモデム用電源遠隔操作方法の説明図である。図４のＡＤＳＬ用回線を用いた通信システムでは、コントロールセンタに監視装置が配置され、電話局にＡＤＳＬ加入者交換機ＡＤＳＬが配置され、宅内に、スプリッタ９１、ＡＤＳＬモデム３２０と、前記ＡＤＳＬモデム３２０と接続されたパソコン１０１、および前記スプリッタ９１に接続された電話１０２とが配置されている。電話局と宅内とは、加入者電話回線にて接続され、電話局とコントロールセンタとは、同じく電話回線にて接続されている。  
【０００３】
ここで、ＡＤＳＬモデム３２０の電源は、電源コンセントからスプリッタ９１内の電源ラインを介して供給される。ＡＤＳＬモデム３２０専用の電源を用いる場合もある。また、スプリッタ９１によって、ＡＤＳＬ通信回線の音声信号とデジタル信号とが分離されている。
【０００４】
また、図５は、従来のモデム用電源遠隔操作方法の他の例の説明図である。図５に示すＡＤＳＬ用回線を用いた通信システムでは、コントロールセンタに監視装置が配置され、電話局にＡＤＳＬ用加入者交換機４０１ａが配置され、宅内にＡＤＳＬモデム３２０ａと、前記ＡＤＳＬモデム３２０ａと接続されたパソコン１０１とが配置されている。電話局と宅内とは、加入者電話回線で接続され、電話局とコントロールセンタとは、同じく電話回線にて接続されている。      
【０００５】
ここで、ＡＤＳＬモデム３２０ａの電源は、専用の電源コンセントから電源ラインを介して供給されることが多い。ここで、図５に示す通信システムは、音声信号のやり取りはなく、デジタル信号のみの通信となる。
【０００６】
ここで、図４あるいは図５に示す通信システムは、２４時間、常時通信状態となる場合がある。例えば、個人の自宅での常時のデータ通信、あるいは店舗などの自動防犯カメラ監視、企業などでの常時のデータ通信の用途がある。
【０００７】
近年、ＡＤＳＬ用回線では、通信容量の高密度化に対応するため、キャリア周波数を従来の１.１０４ＭＨｚ（データ転送速度８Ｍｂｐｓに対応する）から３.７５ＭＨｚ（データ転送速度５０Ｍｂｐｓに対応する）の仕様への移行が進んでいる。
【０００８】
このような、データ転送速度の高速化にともなって、ＡＤＳＬモデムの機能も向上しているが、前記ＡＤＳＬモデムが、フリーズ等の動作障害を発生する場合があり、ＡＤＳＬ通信の機能停止が生じる場合がある。ＡＤＳＬモデムの機能が停止すると、当然、データのやり取りは、停止する事となる。ここで、従来は、ＡＤＳＬモデムの機能が停止した場合は、人手によって、再起動してＡＤＳＬモデムの機能を復帰させていた。
【０００９】
特許文献１には、データバスを介してソース出力機器の電源がオフであるか否かを検出する電子機器システムについて記載されている。
【００１０】
【特許文献１】特開２００１−２３６１４９号公報
【発明の開示】
【発明が解決しようとする課題】
【００１１】
しかし、先の２４時間、常時通信状態で、ＡＤＳＬモデムの機能が停止した場合、例え、機能停止の通報があっても、それに対応できるメンテナンスの人手がない場合は、ＡＤＳＬモデムの機能は停止したままとなるという問題点があった。
【００１２】
従って、本発明の目的は、ＡＤＳＬ回線を使用した、常時通信状態において、ＡＤＳＬモデムの機能停止に対して、人手を介さず、遠隔にてＡＤＳＬモデムをリブート（reboot：再起動）できるリブート機能内蔵型スプリッタを提供することである。
【課題を解決するための手段】
【００１３】
本発明のリブート機能内蔵型スプリッタは、人手を介さず、遠隔にて異常停止したＡＤＳＬモデムを、再起動するために、スプリッタの内部にノーリンギング通信端末を配置したリブート機能内蔵型スプリッタとし、前記異常停止したＡＤＳＬモデムを、ノーリンギング通信によって、再起動する。
【００１４】
本発明は、ＡＤＳＬ通信回線でのＡＤＳＬモデムの電源のリブートを行うリブート機能内蔵型スプリッタであって、前記リブート機能内蔵型スプリッタは、ローパスフイルタ部と、ノーリンギング通信端末と、電源リレーとで構成され、前記ノーリンギング通信端末は、  ローパスフイルタ部の出力側から分岐したリンガー検出回路および極性反転検出回路と、同じくローパスフイルタ部の出力側から分岐した回線リレーと、信号用トランスと、ＤＴＭＦ（Dual  Tone  Multi−Frequency）送受信回路と、前記ＤＴＭＦ送受信回路と接続された記憶演算装置とで構成されており、前記リブート機能内蔵型スプリッタの外側には、ＡＣアダプタが配置されており、ＡＣアダプタは、前記ＡＣアダプタにおいて変換した電源を、前記ＡＤＳＬモデムに供給しており、また、前記ローパスフイルタ部の入力側から、回線が分岐され、直流カットコンデンサを介してＡＤＳＬモデムに接続され、また、ローパスフイルタ部の出力側に電話への接続部を有し、前記ノーリンギング通信端末は、無鳴動着信機能を有しており、前記極性反転検出回路およびリンガー検出回路が、極性反転を検出し、かつ、一般通信であることを示すリンガー信号を検出しない場合は、無鳴動着信と判断し、回線リレーの設定をＯＮとし、前記ＤＴＭＦ送受信回路を介して、記憶演算装置は、センターモデムからの信号を受信し、リブート指令を受信した場合は、 前記電源リレーの接点を、ＯＮ状態から、ＯＦＦ状態に切り替え、所定時間後ＯＮ状態とし、ＡＤＳＬモデムの電源を、ＯＮ、ＯＦＦ、ＯＮとして、前記ＡＤＳＬモデムをリブートするリブート機能内蔵型スプリッタである。        
【発明の効果】
【００１５】
本発明によれば、ＡＤＳＬ回線を使用した、常時通信状態において、モデムの機能停止に対して、人手を介さず、遠隔にてモデムを再起動できるリブート機能内蔵型スプリッタを提供できる。  
【発明を実施するための最良の形態】
【００１６】
本発明の実施の形態によるリブート機能内蔵型スプリッタについて、以下に説明する。本発明のリブート機能内蔵型スプリッタは、スプリッタの中にリブート機能を組み込んだことを特徴としている。即ち、本発明のリブート機能内蔵型スプリッタは、人手を介さず、遠隔にて異常停止したＡＤＳＬモデムを、再起動するために、スプリッタの内部にノーリンギング通信端末を配置したリブート機能内蔵型スプリッタとし、異常停止したＡＤＳＬモデムを、ノーリンギング通信によって、人手を介さずに再起動する。
【００１７】
図１は、本発明のリブート機能内蔵型スプリッタの説明図である。本発明の実施の形態のリブート機能内蔵型スプリッタ１は、ローパスフイルタ部２と、ノーリンギング通信端末１００と、電源リレー３４とで構成されている。
【００１８】
前記ノーリンギング通信端末１００は、  ローパスフイルタ部２の出力側から分岐したリンガ検出および極性反転検出回路３２と、同じくローパスフイルタ部２の出力側から分岐した回線リレー３１と、信号用トランスＴと、ＤＴＭＦ送受信回路３３と、前記ＤＴＭＦ送受信回路３３と接続された記憶演算装置３とで構成されている。
【００１９】
前記ノーリンギング通信端末１００は無鳴動着信機能を有しており、極性反転およびリンガー検出回路３２が、極性反転を検出し、かつ、一般通信であることを示すリンガー信号を検出しない場合は、無鳴動着信と判断し、回線リレー３１の設定をＯＮとし、前記ＤＴＭＦ送受信回路３３が、電源制御用信号を受信すると、記憶演算装置３は、センターモデムからの信号を受信し、リブート指令を受信した場合は、電源リレー３４に命令を出し、前記電源リレー３４の接点を、ＯＮ状態から、ＯＦＦ状態に切り替え、所定時間後ＯＮ状態とし、ＡＤＳＬモデム６の電源を、ＯＮ、ＯＦＦ、ＯＮとして、前記ＡＤＳＬモデム６をリブートする。
【００２０】
なお、 前記極性反転およびリンガー検出回路３２が、極性反転を検出し、かつ、一般通信であることを示すリンガー信号を検出した場合は、一般着信と判断し、ノーリンギング受信を中断する。
【実施例１】
【００２１】
図１に示すように、リブート機能内蔵スプリッタ１には、ＡＤＳＬモデム６と電話８とＡＣアダプタ４が配置されている。即ち、ローパスフイルタ部２の入力側から、回線が分岐され、直流カットコンデンサＣ１０、Ｃ２０を介してＡＤＳＬモデム６に接続され、また、電話８は、ローパスフイルタ部２の出力側に接続されている。前記リブート機能内蔵スプリッタ１の外側には、ＡＣアダプタ４が配置されており、ＡＣアダプタ４は、前記ＡＣアダプタ４において変換した電源を、前記ＡＤＳＬモデム６に供給している。  
【００２２】
図３は、本発明のリブート機能内蔵型スプリッタを使用したＡＤＳＬモデム用電源遠隔操作方法の説明図である。図３に示すように、宅内のＡＤＳＬモデム６が、フリーズによって、機能が停止した場合は、その停止の情報が、コントロールセンターの監視装置に入り、前記監視装置から、電話局のノーリンギングＰＢＸに、前記宅内のＡＤＳＬモデム６をリブートする指令が送られる。
【実施例２】
【００２３】
図２は、本発明のリブート機能内蔵スプリッタ１の説明図である。本発明のリブート機能内蔵スプリッタ１ａは、ローパスフイルタ部２ａと、ノーリンギング通信端末１００ａと、電源リレー３４ａとで構成されている。図２のリブート機能内蔵スプリッタ１ａの周辺機器として、新たに ルーター６１ａが設置され、前記ルーター６１ａを介して、パソコン７１，７２，７３が接続されている。
【００２４】
前記ノーリンギング通信端末１００ａは、  ローパスフイルタ部２ａの出力側から分岐したリンガ検出および極性反転検出回路３２ａと、同じくローパスフイルタ部２ａの出力側から分岐した回線リレー３１ａと、信号用トランスＴと、ＤＴＭＦ送受信回路３３ａと、前記ＤＴＭＦ送受信回路３３ａと接続された記憶演算装置３ａとで構成されている。  
【００２５】
また、ＡＤＳＬモデム６ａは、前記ローパスフイルタ部２の入力側から、直流カットコンデンサＣ１０、Ｃ２０を介して接続され、また、電話８は、ローパスフイルタ部２ａの出力側に接続される。前記リブート機能内蔵スプリッタ１ａの外側には、ＡＣアダプタ４が配置されており、ＡＣアダプタ４ａは、前記ＡＣアダプタ４ａにおいて変換した電源を、前記ＡＤＳＬモデム６と、前記ＡＤＳＬモデム６ａに接続されたルーター６１ａに供給している。  
【００２６】
前記ノーリンギング通信端末１００ａは、無鳴動着信機能を有しており、電話局からのリブート信号を受信する機能を有し、極性反転およびリンガー検出回路３２ａが、極性反転を検出し、かつ、一般通信であることを示すリンガー信号を検出しない場合は、ノーリンギング信号と判断し、回線リレー３１ａの設定をＯＮとし、前記ＤＴＭＦ送受信回路３３ａが、電源制御用信号を受信すると、記憶演算装置３ａは、前記電源制御用信号を記憶、演算して、電源リレー３４ａに命令を出し、前記電源リレー３４ａの接点を、ＯＮ状態から、ＯＦＦ状態に切り替え、所定時間後、ＯＮ状態とし、ＡＤＳＬモデム６の電源，およびルーター６１ａの電源を、ＯＮ、ＯＦＦ、ＯＮとして、前記ＡＤＳＬモデム６、およびルーター６１ａをリブートする。  
【００２７】
なお、 前記極性反転およびリンガー検出回路３２ａが、極性反転を検出し、かつ、一般通信であることを示すリンガー信号を検出した場合は、一般着信と判断し、ノーリンギング受信を中断する。
【図面の簡単な説明】
【００２８】
【図１】本発明のリブート機能内蔵スプリッタの説明図。
【図２】本発明のリブート機能内蔵スプリッタの説明図。
【図３】本発明のリブート機能内蔵スプリッタを使用したＡＤＳＬモデム用電源遠隔操作方法の説明図。
【図４】従来のモデム用電源遠隔操作方法の説明図。
【図５】従来のモデム用電源遠隔操作方法の他の例の説明図。
【符号の説明】
【００２９】
１，１ａ    リブート機能内蔵スプリッタ
２，２ａ    ローパスフイルタ部
３，３ａ    記憶演算装置
３１，３１ａ    回線リレー
３２，３２ａ    極性反転およびリンガー検出回路
３３，３３ａ    ＤＴＭＦ送受信回路
３４，３４ａ    電源リレー
４，４ａ    ＡＣアダプタ
５，５ａ    宅内電話回線
６，６ａ，３２０，３２０ａ    ＡＤＳＬモデム
６１ａ    ルーター
７，７１，７２，７３，１０１    パソコン
８    電話
９    電源コンセント
９１    スプリッタ
１００，１００ａ    ノーリンギング通信端末
Ｃ１０，Ｃ２０    直流カットコンデンサ
【図１】
2005318348.tif 000003
【図２】
2005318348.tif 000004
【図３】
2005318348.tif 000005
【図４】
2005318348.tif 000006
【図５】
2005318348.tif 000007